(57)【要約】【課題】プリ発光が閃光発光するフラッシュ装置と従来カメラとの組み合わせでも適正露出を得ることを可能にしたフラッシュ装置を提供することである。【解決手段】  プリ発光が閃光発光である閃光発光手段（２３６）を持ち、カメラからの通信によりカメラの種類を判別するカメラ判別手段（図４）を持ち、更に、カメラからのメイン発光量に対して、補正をする補正手段（図５）を持つフラッシュにおいて、前記カメラ判別手段（図４）と補正手段（図５）により、カメラを判別して、メイン発光量に補正をすることを特徴とする構成とした。【選択図】  図４
2013231884.tif 000002
【特許請求の範囲】
【請求項１】
プリ発光が閃光発光である閃光発光手段（２３６）を持ち、カメラからの通信によりカメラの種類を判別するカメラ判別手段（図４）を持ち、更に、カメラからのメイン発光量に対して、補正をする補正手段（図５）を持つフラッシュにおいて、前記カメラ判別手段（図４）と補正手段（図５）により、カメラを判別して、メイン発光量に補正をすることを特徴とするフラッシュ装置。
【請求項２】
プリ発光が閃光発光である閃光発光手段（２３６）を持ち、カメラと通信をする通信手段（２３１）を持ち、更に、カメラからのメイン発光量に対して、補正をする補正手段（図５）を持つフラッシュにおいて、前記通信手段（２３１）により得られる情報には、プリ発光情報が含まれており、プリ発光情報により、メイン発光量に補正をすることを特徴とするフラッシュ装置。
【発明の詳細な説明】
【技術分野】
【０００１】
本発明は、フラッシュ装置に関し、特にメイン発光前のプリ発光が、閃光タイプに関するものである。
【背景技術】
【０００２】
従来、プリ発光をするフラッシュ装置に関して、メイン発光量に対して補正をする公知例は、いろいろと提案されている。例えば、特許文献１では、操作手段により、操作に応じて、メイン発光量に対する補正を決定することができる。これにより、カメラが自動で決定したメイン発光量を、ユーザーが気に入らない場合は、操作手段により補正をすることができる。また、従来のフラッシュシステムでは、プリ発光はフラット発光と決まっており、カメラは、プリ発光中に測光センサにて蓄積をし、メイン発光量を決定している。
【先行技術文献】
【特許文献】
【０００３】
【特許文献１】特開平９−５４３５２号公報
【発明の概要】
【発明が解決しようとする課題】
【０００４】
フラッシュの発光制御は、閃光発光制御とフラット発光制御が周知であるが、閃光発光制御とは、１度しか発光しない為、発光時間や測光する為の蓄積時間は、固定される。
【０００５】
フラット発光制御は、閃光発光を連続的に行う制御で、所定時間（カメラからの時間指定可能）均一で発光することができる為、発光時間や測光する為の蓄積は、可変可能である。そこで、カメラによって、測光センサの感度条件が違っても正しくフラッシュの測光ができるように、発光時間や測光する為の蓄積時間を変える必要がある為、プリ発光はフラット発光制御と決まっていた。
【０００６】
しかしながら、プリ発光をフラット発光制御するには、フラット発光制御回路が必要であり、フラッシュ装置の小型化には向いていない。
【０００７】
よって、小型化優先の為に、プリ発光を閃光発光とすると、従来カメラとの組み合わせでは、カメラ側はプリ発光をフラット発光すると思い発光時間や蓄積時間を指定して制御するので、適正露出を得ることができない。
【０００８】
上述の特許文献に開示された従来技術は、カメラが自動で決定したメイン発光量をユーザーが手動で補正をすることである為、上述のプリ発光が閃光発光のフラッシュ装置の場合、ユーザーが手動で合わせることができるだけで、自動で適正露出を得ることはできない。
【０００９】
そこで、本発明の目的は、プリ発光が閃光発光するフラッシュ装置と従来カメラとの組み合わせでも適正露出を得ることを可能にしたフラッシュ装置を提供することである。
【課題を解決するための手段】
【００１０】
上記目的を達成するために、本発明は、プリ発光が閃光発光である閃光発光手段を持ち、カメラからの通信によりカメラの種類を判別するカメラ判別手段を持ち、更に、カメラからのメイン発光量に対して、補正をする補正手段を持つフラッシュにおいて、前記カメラ判別手段と補正手段により、カメラを判別して、メイン発光量に補正をすることを特徴とするフラッシュ装置。
【発明の効果】
【００１１】
本発明によれば、プリ発光が閃光発光するフラッシュ装置と従来カメラとの組み合わせでも適正露出を得ることを可能にしたフラッシュ装置を提供することができる。
【図面の簡単な説明】
【００１２】
【図１】実施例１と実施例２のカメラとフラッシュ装置を含めたシステム構成図を示すブロック図である。
【図２】実施例１と実施例２のフラッシュの動作を示すフローチャート図である。
【図３】実施例１のフラッシュ通信処理の動作を示すフローチャート図である。
【図４】実施例１のカメラ判別処理の動作を示すフローチャート図である。
【図５】実施例１と実施例２の発光量補正の動作を示すフローチャート図である。
【図６】実施例２のフラッシュ通信処理の動作を示すフローチャート図である。
【図７】実施例２のプリ発光処理の動作を示すフローチャート図である。
【発明を実施するための形態】
【００１３】
以下に、本発明の好ましい実施の形態を、添付の図面に基づいて詳細に説明する。
【００１４】
［実施例１］
図１から図５は、本発明の第１の実施形態に係る図である。
【００１５】
以下、図を用いて実施形態の作用を説明する。
【００１６】
図１は本発明の第１の実施形態であるフラッシュ装置の着脱可能なデジタルカメラシステムの構成を示すブロック図である。
【００１７】
図１において、１００は一眼レフレックスカメラ（以下、カメラという）であり、２２０はカメラ１００に対して着脱可能な交換レンズ、２３０もカメラ１００に対して着脱可能な外部フラッシュ装置である。
【００１８】
カメラ１００において、２は可動機構なしの全面ハーフミラーとなっており、レンズ１から入射した光を後述する撮像素子５と焦点検出装置６へ導く。
【００１９】
４は後述する撮像素子の露出量を制御するためのシャッタである。
【００２０】
５はＣＣＤセンサやＣＭＯＳセンサ等により構成される撮像素子である。撮像素子５は、交換レンズ２２０により形成された被写体像を光電変換する。
【００２１】
１６は撮像素子５からのアナログ撮像信号をデジタル信号に変換するＡ／Ｄ変換器である。
【００２２】
１８はタイミング発生回路であり、撮像素子５、Ａ／Ｄ変換器１６及び後述するＤ／Ａ変換器２６にクロック信号を供給する。該タイミング発生回路１８は、後述するメモリ制御回路２２及びシステム制御回路５０により制御される。
【００２３】
２０は画像処理回路であり、Ａ／Ｄ変換器１６又はメモリ制御回路２２からのデジタル撮像信号に対して、画素補間処理、色変換処理、ＡＷＢ（オートホワイトバランス）処理等の各種画像処理を行い画像信号（映像）が生成される。
【００２４】
６は焦点検出装置であり、複数の測距エリアを有する位相差検出用のセンサが含まれている。システム制御回路５０は、焦点検出装置の蓄積制御や読み出し制御を行い、周知である位相差検出方法によりデフォーカス量を算出する。
【００２５】
５０はシステム制御回路であり、カメラ１００全体の動作や上記デフォーカス量などから交換しレンズ２２０のフォーカス駆動や絞り駆動を制御する。また、外部フラッシュ２３０と通信を行い外部フラッシュの発光タイミングや発光量及び、プリ発光情報（蓄積開始時間、蓄積時間）など外部フラッシュの制御も行う。更に、システム制御回路５０は、不図示の記憶制御手段及び表示制御手段としての機能を有する。
【００２６】
メモリ制御回路２２は、Ａ／Ｄ変換器１６、タイミング発生回路１８、画像処理回路２０と、後述する画像表示メモリ２４、Ｄ／Ａ変換器２６、メモリ３０及び圧縮・伸長回路３２とを制御する。
【００２７】
画像処理回路２０からの画像信号又はＡ／Ｄ変換器１６からのデジタル撮像信号は、メモリ制御回路２２を介して画像表示メモリ２４、メモリ３０やシステム制御５０に送られる。
【００２８】
２８はＬＣＤ等により構成される画像表示部（表示手段）である。後述する顔検出結果など、画像表示メモリ２４に書き込まれた表示用画像データは、Ｄ／Ａ変換器２６を介して画像表示部２８に送られ、画像表示部２８にて表示される。
【００２９】
メモリ３０は、生成された静止画像や動画像を格納する。また、メモリ３０は、システム制御回路５０の作業領域としても使用される。
【００３０】
３１は顔検出部であり、画像処理回路２０からの画像データあるいはメモリ制御回路２２からの画像データに対して所定の顔検出動作を行う。また、顔検出部３１で行う顔検出動作は、顔検出動作に被写体の画像データを用いる方法であれば、特に前述した処理方法に限定されるものではない。
【００３１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータを再びメモリ３０に書き込む。
【００３２】
４０はシャッタ４を制御する露光制御回路であり、システム制御回路５０を介して交換レンズ２２０の絞り２２４も制御する。
【００３３】
５２はシステム制御回路５０の動作用の定数、変数、コンピュータプログラム等のデータを記憶するメモリである。
【００３４】
５４は電気的に消去・記録可能な不揮発性メモリであり、ＥＥＰＲＯＭ等が用いられる。
５６は情報出力部であり、文字、画像、音声等を用いてカメラ１００の動作状態やメッセージ等を示す情報を出力する。情報出力部５６は、液晶表示素子やスピーカ等により構成されている。
【００３５】
６０はモードダイアルスイッチであり、電源のＯＮ／ＯＦＦ、撮像モード（静止画撮像モードや動画撮像モード）、再生モード等の各機能を切り替え設定するために操作される。
【００３６】
６２は撮像準備（ＳＷ１）と撮影開始スイッチ（ＳＷ２）であり、不図示のシャッタボタンの第１ストローク操作（半押し）により、ＳＷ１がＯＮとなり、測光（ＡＥ処理）及びＡＦ処理等の撮像準備動作を開始させる。更に、シャッタボタンの第２ストローク操作（全押し）によりＳＷ２がＯＮとなり、撮像動作を開始させる。
【００３７】
ここにいう撮像動作は、フラッシュ２３０の発光動作、シャッタ４の開閉動作、撮像素子５からの撮像信号に基づいて画像処理回路２０にて画像信号を生成する動作、画像信号をメモリ制御回路２２を介してメモリ３０に書き込む動作を含む。また、メモリ３０から画像データを読み出して、圧縮・伸長回路３２で圧縮し、後述する記録媒体２００，２１０に記録する動作も含む。これら一連の撮像動作は、記録用画像の取得動作ということもできる。記録媒体２００，２１０は、半導体メモリや光ディスク等により構成される。
【００３８】
７０は各種ボタンやタッチパネル等を含む操作部であり、カメラ１００の機能選択や各種設定を行うためのメニュー画面を表示させたり、メニュー項目を決定したりするために操作される。
【００３９】
７８は電源制御回路であり、電池残量の検出を行う電池検出回路、電池からの電源電圧を所定の動作電圧に変換するＤＣ−ＤＣコンバータ等を含む。
【００４０】
８０はカメラに着脱可能な電池である。
【００４１】
８６は電源であり、アルカリ電池やリチウム電池等の一次電池やＮｉＭＨ電池、Ｌｉ電池等の二次電池が使用される。８２，８４は電源８６とカメラ１００との電気的接続を行うためのコネクタである。
【００４２】
９０，９４は記録媒体２００，２１０との通信を行うためのインタフェースであり、９２，９６は記録媒体２００，２１０に接続されるコネクタである。
【００４３】
９８はコネクタ９２，９６に記録媒体２００，２１０が装着されているか否かを検知する記録媒体着脱検知器である。
【００４４】
１１０は通信部であり、ＲＳ２３２Ｃ、ＵＳＢ、ＩＥＥＥ１３９４、無線通信等の通信機能を有する。
【００４５】
１１２は通信部１１０を介してカメラ１００に他の機器を接続するコネクタであり、無線通信を行う場合はアンテナが接続される。
【００４６】
記録媒体２００，２１０は、カメラ１００との通信を行うためのインタフェース２０４，２１４と、カメラ１００との電気的接続を行うコネクタ２０６，２１６とを有する。記録部２０２，２１２には、カメラ１００から出力される圧縮画像データが書き込まれる。
【００４７】
交換レンズ２２０において、１は複数のレンズにより構成される撮像レンズ群であり、光軸方向に移動してフォーカス調整を行うフォーカスレンズや光軸方向に移動して変倍を行うズームレンズを含む。２２４は撮像素子５に到達する光量を調節する絞りである。これら撮像レンズ群１及び絞り２２４により撮像光学系が構成される。
【００４８】
２２６はレンズ制御回路であり、システム制御回路５０からの制御信号に応じて、フォーカスレンズ、ズームレンズ及び絞り２２４を駆動する不図示のアクチュエータを制御する。
【００４９】
また、レンズ制御回路は、撮影レンズ動作用の定数、変数、プログラム等を記憶するメモリの機能を備えている。その他、撮影レンズ固有の番号等の識別情報、管理情報、開放絞り値や最小絞り値、焦点距離等の機能情報、現在や過去の各設定値などを記憶する不揮発メモリの機能も備えている。
【００５０】
２２８はコネクタであり、カメラ１００の通信接点部４１と接続されてレンズ制御回路２２６とシステム制御回路５０との間での通信を可能とする。また、コネクタ２２８は、電源８６からの電源電圧を交換レンズ２２０内に供給する。
【００５１】
２３２はフラッシュ制御部であり、カメラ側接続部４５とフラッシュ側接続部２３１により、カメラ１００と通信を行う。フラッシュ各種情報（電池情報やガイドナンバー情報等）の送信やカメラ側からの各種情報（撮影モード、シャッタースピード、絞り、ズーム位置、プリ発光情報等）や指示（発光タイミング等）を受信する。更に、閃光発光回路２３６や電源制御２３３と通信を行い、発光回路２３６には、発光の開始・停止、電源制御２３３には、発光の為のコンデンサの充電開始・停止の制御通信をしている。
【００５２】
電源制御２３３は、電源電圧を所定の動作電圧に変換するＤＣ−ＤＣコンバータであり、電池２３８から電源が供給される。
【００５３】
また、電源制御２３３が外部フラッシュ装置２３０の電源を作り出している。
【００５４】
２３８は二次電池であり、ＮｉＭＨ電池、Ｌｉ電池等の二次電池が使用される。
【００５５】
２３６は閃光発光回路であり、発光部２３７に接続されフラッシュ制御２３２からの指示で、発光開始や発光停止を行う。
【００５６】
図２から図５は、フラッシュ２３０のフローチャートであり、フラッシュの動作説明をフローチャートにより詳細に説明する。
【００５７】
図２のＳ００１において、フラッシュのマイコンが起動し、マイコンに接続されている端子の初期化処理や内部ＲＡＭなどのデータ初期化を行う。
【００５８】
Ｓ００２において、フラッシュ装置のスイッチ（電源スイッチなど）を検出する。
【００５９】
Ｓ００３において、接続するカメラと通信を行うために、通信設定を行う。
【００６０】
Ｓ００４において、Ｓ００２のスイッチ検出により、電源スイッチがオフならば、Ｓ００５へ移行し、電源オフ処理などの終了設定を行い、フラッシュ動作を終了する。電源スイッチがオフでなければ、Ｓ００６へ移行する。
【００６１】
Ｓ００６において、カメラからの通信要求があるかどうかをチェックして、通信要求がある場合は、Ｓ００７へ移行する。通信要求がない場合は、Ｓ００９へ移行する。
【００６２】
Ｓ００７において、カメラとの通信処理を実行する。
【００６３】
Ｓ００８において、カメラとの通信が完了した後で、通信の後処理を行う。
【００６４】
ここで、通信後処理の内容を図３のフローチャートで詳細に説明する。
【００６５】
図３のＳ０２０において、通信内容がカメラＩＤ通信ならば、Ｓ０２１へ移行し、CameraID（RAMの一部の変数名）に、通信データを格納してリターンする。そうでなければ、Ｓ０２２へ移行する。
【００６６】
Ｓ０２２において、メイン発光通信ならば、Ｓ０２３へ移行する。そうでなければ、Ｓ０２５へ移行する。
【００６７】
Ｓ０２３では、カメラ判別処理を行う。ここで、カメラ判別の内容を図４のフローチャートで詳細に説明する。
【００６８】
図４のＳ０４０において、CameraID  ＝  １ならば、Ｓ０４１へ移行し、補正量（RAMの一部の変数名）に４を入れてリターンする。そうでなければ、Ｓ０４２へ移行する。
【００６９】
Ｓ０４２において、CameraID  ＝  ２ならば、Ｓ０４３へ移行し、補正量（RAMの一部の変数名）に６を入れてリターンする。そうでなければ、Ｓ０４４へ移行する。
【００７０】
Ｓ０４４において、CameraID  ＝  ３ならば、Ｓ０４５へ移行し、補正量（RAMの一部の変数名）に８を入れてリターン。そうでなければ、Ｓ０４６へ移行する。
【００７１】
Ｓ０４６において、補正量（RAMの一部の変数名）に０を入れて、リターンする。
【００７２】
ここで、補正量とは、メイン発光量に対する補正をする値で、カメラによりプリ発光時間やプリ発光時の測光蓄積時間で違いがあるので、その差分をここで補正値として補間している。
【００７３】
図３に戻って、Ｓ０２４において、メイン発光処理を行う。ここで、メイン発光処理の内容を図５のフローチャートで詳細に説明する。
【００７４】
図５のＳ０５１において、受信発光量（RAMの一部の変数名）に、受信データを入れる。
【００７５】
Ｓ０５２において、発光量（RAMの一部の変数名）に、受信発光量＋補正量を入れる。
【００７６】
Ｓ０５３において、前記発光量で光る為の各種設定処理やカメラからの所定の信号（発光開始信号）で光る為の処理を行いリターンする。
【００７７】
図３に戻って、Ｓ０２５において、プリ発光通信ならば、Ｓ０２６へ移行して、プリ発光量やカメラ蓄積時間などのプリ発光情報を記憶し、プリ発光する為の準備をする。そうでなければ、Ｓ０２７へ移行する。
【００７８】
Ｓ０２７において、カメラ情報通信ならば、Ｓ０２８へ移行して、カメラ情報（撮影モード、シャッタースピード、絞り、ズーム位置、プリ発光情報等）を記憶する。そうでなければ、Ｓ０２９へ移行する。
【００７９】
Ｓ０２９において、フラッシュ情報通信要求ならば、Ｓ０３０へ移行して、フラッシュ情報（フラッシュモード、充電状態、電池情報やガイドナンバー情報等）をカメラへ送信する。そうでなければ、リターンする。
【００８０】
図２に戻って、Ｓ００９において、充電制御を行い、フラッシュのコンデンサの充電を開始や停止を行う。
【００８１】
Ｓ０１０において、フラッシュの各状態（フラッシュモード、充電状態、ズーム位置等）を表示手段により表示し、Ｓ００２へ戻る。
【００８２】
以上により、カメラからの通信によりカメラの種類を判別して、カメラからのメイン発光量に対して、補正をするので、プリ発光が閃光発光するフラッシュ装置と従来カメラとの組み合わせでも適正露出を得ることが可能である。
【００８３】
［実施例２］
図１、図２、図５、図６、図７は本発明の第２の実施形態に係る図である。以下、図を用いて実施形態の作用を説明する。
【００８４】
図１、図２と図５は、実施例１で説明したので、説明を省略する。
【００８５】
図６、図７は、フラッシュ２３０のフローチャートであり、フラッシュの動作説明をフローチャートにより詳細に説明する。
【００８６】
図６のＳ０６０において、通信内容がカメラＩＤ通信ならば、Ｓ０６１へ移行し、CameraID（RAMの一部の変数名）に、通信データを格納してリターンする。そうでなければ、Ｓ０６２へ移行する。
【００８７】
Ｓ０６２において、メイン発光通信ならば、Ｓ０６３へ移行して、メイン発光処理（図５）を行う。そうでなければ、Ｓ０６４へ移行する。
【００８８】
Ｓ０６４において、プリ発光通信ならば、Ｓ０６５へ移行しプリ発光処理を行う。そうでなければ、Ｓ０６６へ移行する。ここで、プリ発光処理の内容を図７のフローチャートで詳細に説明する。
【００８９】
図７のＳ０７０において、プリ発光量（RAMの一部の変数名）に、受信データを入力する。
【００９０】
Ｓ０７１において、蓄積時間（RAMの一部の変数名）に、受信データを入力する。また、受信データは、複数バイトあり、プリ発光量や蓄積時間などのプリ発光情報が含まれている。ここでは、プリ発光量や蓄積時間の受信データについてのみ説明。
【００９１】
Ｓ０７２において、補正量（RAMの一部の変数名）に、（蓄積時間／基準蓄積時間）×所定値を入力する。ここで、基準蓄積時間とは、フラッシュ装置側で決めた標準蓄積時間であり、この基準蓄積時間を元に比率を決め、所定値により倍率を決定して、補正量を求めている。これにより、蓄積時間の違いを補正量として、補間している。
【００９２】
Ｓ０７３において、プリ発光する為の準備を行い、カメラからの所定の信号で、プリ発光ができる状態になる。
【００９３】
図６に戻って、Ｓ０６６において、カメラ情報通信ならば、Ｓ０６７へ移行して、カメラ情報（撮影モード、シャッタースピード、絞り、ズーム位置、プリ発光情報等）を記憶する。そうでなければ、Ｓ０６８へ移行する。
【００９４】
Ｓ０６８において、フラッシュ情報通信要求ならば、Ｓ０６９へ移行して、フラッシュ情報（フラッシュモード、充電状態、電池情報やガイドナンバー情報等）をカメラへ送信する。そうでなければ、リターンする。
【００９５】
以上により、カメラからのプリ発光情報通信により、カメラからのメイン発光量に対して、補正をするので、プリ発光が閃光発光するフラッシュ装置と従来カメラとの組み合わせでも適正露出を得ることが可能である。
【符号の説明】
【００９６】
２３０  外部フラッシュ装置
２３２  外部フラッシュ制御部
２３３  電源制御
２３６  閃光発光回路
２３７  発光部
【図１】
2013231884.tif 000003
【図２】
2013231884.tif 000004
【図３】
2013231884.tif 000005
【図４】
2013231884.tif 000006
【図５】
2013231884.tif 000007
【図６】
2013231884.tif 000008
【図７】
2013231884.tif 000009